(57)【要約】      （修正有）【課題】提示用家具、好適には商品提示用家具、さらに好適には棚または戸棚の態様の、モジュール式に組立て可能な家具を提供する。【解決手段】家具は、面要素１、２および面要素の狭幅側に当接可能な結合要素４の態様の、複数の家具要素を備え、狭幅側への工具なしの着脱可能な結合が、溝構造に導入されるキー構造を介して、好適には、溝に導入されるキーを介して、または多重溝に導入される多重キーを介して行われ、家具要素は、キー溝結合部を介して、面要素の面上の延伸に対して横向きに、および追加的に導入方向とは逆向きに、家具要素側面に配置された少なくとも１つの磁石と、隣接する家具要素の側面に配置された、磁石により吸引可能な別部分との相互作用により位置固定され、相並んでまたは直接に角を介して配置された２つの面要素が、単一の結合要素４を介して結合される。【選択図】図１
0003224783.tif 000002
【実用新案登録請求の範囲】
【請求項１】
家具、特に提示用家具、好適には商品提示用家具の態様の家具、さらに有利には棚または戸棚の態様の、モジュール式に組立て可能な家具であって、
面要素（１，２）および該面要素（１，２）の狭幅側に装着可能な結合要素（４）の態様の、好適には提示用家具要素として構成された複数の家具要素を備え、
狭幅側への工具なしの着脱可能な結合が、溝構造に導入されるべきキー構造を介して、好適には、溝に導入されるべきキーを介して、または少なくとも二重溝として構成された多重溝に導入されるべき少なくとも二重キーとして構成された多重キーを介して行われ、
前記家具要素（１，２，４）は、キー溝結合部を介して、前記面要素（１，２）の面状の延伸に対して横向きに、および追加的に導入方向とは逆向きに、家具要素の側に配置された少なくとも１つの磁石（６）と、隣接する家具要素の側に配置された、磁気吸引可能な別の部分との相互作用を介して位置固定されていて、相並んでまたは直接に角を介して配置された２つの面要素（２，１）が、単一の結合要素（４）を介して結合されている、
ことを特徴とする、家具。
【請求項２】
磁気吸引可能な前記別の部分は、磁石（７）であり、前記結合要素（４）だけではなく前記面要素（１，２）もそれぞれ少なくとも１つの磁石（６，７）を有し、該磁石（６，７）により、両方の家具要素が互いに吸引される、請求項１記載の家具。
【請求項３】
前記結合要素（４）は、少なくとも１つの側に、キー構造を有する、請求項１または２記載の家具。
【請求項４】
前記キー構造は、該キー構造の端部に向かって面取りされている、請求項３記載の家具。
【請求項５】
前記結合要素（４）は、角張った、特に直方体状の基本体を有し、該基本体は、横断面で見て好適には正方形に形成されている、請求項３または４記載の家具。
【請求項６】
前記結合要素（４）は、少なくとも２つの側で、キー構造を有し、かつ／または前記磁石（６）は、前記結合要素（４）の１つの側で、キー構造に対して対称に配置されている、請求項３から５までのいずれか１項記載の家具。
【請求項７】
前記磁石（６）は、前記基本体に嵌め込まれている、請求項３から６までのいずれか１項記載の家具。
【請求項８】
前記磁石の周りに、前記キー構造は、前記磁石（６）に向かって延在する少なくとも１つの切欠を有し、特に該切欠を形成する溝表面が、ガイド面（１２）として構成されている、請求項７記載の家具。
【請求項９】
前記結合要素（４）は、ケーブル用溝（１４）を有し、該ケーブル用溝（１４）に、電流を導く線路（１５）が配置されている、請求項３から８までのいずれか１項記載の家具。
【請求項１０】
前記結合要素（４）の端面のうちの少なくとも１つに、電流を導く線路（１５）と接続するための接続手段が設けられている、請求項９記載の家具。
【請求項１１】
前記家具要素は、好適にはＬＥＤストリップとして構成された照明手段（１９）を有する、請求項１から１０までのいずれか１項記載の家具。
【請求項１２】
前記結合要素（４）は、ドア用の取付具を有する、請求項３から１１までのいずれか１項記載の家具。
【請求項１３】
前記面要素（１，２）は、角張った、特に直方体状の基本形状を有する、請求項１から１２までのいずれか１項記載の家具。
【請求項１４】
前記面要素（１，２）は、前記溝構造を、少なくとも１つ、好適には全ての狭幅側に有する、請求項１から１３までのいずれか１項記載の家具。
【請求項１５】
溝（１１）の間に位置する中央のウェブ（９）は、磁石（７）を有する、請求項１４記載の家具。
【請求項１６】
前記磁石（７）は、前記ウェブ（９）よりも広幅である、請求項１５記載の家具。
【請求項１７】
前記面要素（１，２）は、少なくとも部分的に透明に構成されている、請求項１から１６までのいずれか１項記載の家具。
【請求項１８】
閉鎖要素（３）が設けられており、該閉鎖要素（３）は、観察者に向いた側で、溝およびキーを有さずに構成されている、請求項１から１７までのいずれか１項記載の家具。
【請求項１９】
前記閉鎖要素（３）は、キーの端部に向かって好適には面取りされたキー構造を有する、請求項１８記載の家具。
【請求項２０】
前記キー構造に対して対称に配置された少なくとも１つの磁石を有する、請求項１８または１９記載の家具。
【請求項２１】
前記結合要素（４）、前記閉鎖要素（３）または前記面要素（１，２）は、機能要素、特にガラス板を配置するための溝（１６）および／または切欠を有する、請求項１から２０までのいずれか１項記載の家具。
【請求項２２】
複数の結合要素（４）と、該結合要素（４）により取り囲まれた１つの面要素（２）とを備える家具であって、
結合要素（４）または閉鎖要素（３）が、キー構造に接続する領域（１３）を有し、該領域（１３）の長さＶは、前記結合要素（４）または前記閉鎖要素（３）の基本体の横断面幅に相当する、
ことを特徴とする、家具。
【請求項２３】
前記磁石（６，７）は、前記結合要素（４）よりも小さな横断面幅を有し、好適には円筒形に形成されている、請求項２を含む請求項１から２２までのいずれか１項記載の家具。
【請求項２４】
少なくとも１つのローラを有する、床側に配置されるべき家具要素は、別の家具要素を配置するための溝構造を有し、両方の溝の間のウェブに、少なくとも１つの磁石が配置されている、請求項１から２３までのいずれか１項記載の家具。
【請求項２５】
ローラを有する複数の家具要素が、溝構造を有する木製ウェブを介して結合されており、好適には両方の前記溝の間の好適には前記ウェブに、少なくとも１つの磁石が配置されている、請求項２４記載の家具。
【考案の詳細な説明】
【技術分野】
【０００１】
本考案は、家具、特に提示用家具、好適には商品の提示用家具、さらに好適には棚または戸棚の態様のモジュール式に組立て可能な家具であって、面要素および面要素の狭幅側に装着可能な結合要素の態様の複数の家具要素を備える、家具に関する。
【背景技術】
【０００２】
商品用の家具、特に展示棚システムが、背景技術において広く知られている。ここでは、ＤＥ１０１０９５９０Ｂ４および米国特許第６５５３７２４号明細書が挙げられる。
【０００３】
背景技術においても、展示ブースの簡単な組立性が重要ではあるが、使用される部品数、特に、たとえば仕切りを形成するために、角を介してまたは相並んで配置されるべき面要素の結合部は、依然として比較的多い。追加的に、ねじ結合部を外すまたは締め付ける必要があり、結合部を形成する複数の結合要素を互いに組み合わせて、結合しなければならない。
【考案の概要】
【考案が解決しようとする課題】
【０００４】
したがって、本考案の課題は、好適には戸棚または棚の態様の、特に（たとえば見本市で使用可能な）提示用家具として使用可能な家具を、取扱いに関して簡単化し、同時に多数の様々な構成の可能性を可能にすることである。
【課題を解決するための手段】
【０００５】
この課題は、請求項１に記載の対象により解決される。本考案の好適な態様は、請求項１を引用する従属請求項および後述の図面に関する記述から明らかである。
【０００６】
本考案に係る、商品用の家具、特に棚または戸棚の態様の、モジュール式に組立て可能な家具は、面要素および結合要素の態様の複数の家具要素を備え、結合要素は、面要素の狭幅側に装着可能であり、狭幅側への工具なしの着脱可能な結合が、溝構造に導入されるべきキー構造を介して、好適には、溝に導入されるべきキーを介して、または少なくとも二重溝として構成された多重の溝に導入されるべき少なくとも二重キーとして構成された多重キーを介して行われ、家具要素は、キー溝結合を介して、面要素の面状の延伸に対して横向きに、および追加的に導入方向とは逆向きに、家具要素の側に配置された少なくとも１つの磁石と、隣接する家具要素の側に配置された、磁気吸引可能な別の部分との相互作用を介して位置固定されていて、相並んでまたは直接に角を介して配置された２つの面要素が、最短の結合部に沿って、（正確に）１つの結合要素を介して互いに結合されていることを特徴とする。この構成は、複数の結合要素が相並んで、つまり面要素の端面または狭幅側をカバーするためにその端面で互いに接続するように配置されている。そのような家具または家具部分は、個人範囲、つまり居間や寝室に設置された棚または戸棚としてだけではなく、商業範囲でも使用することができる。これに関して、たとえば見本市構造物または店舗構造物または事務所の範囲で用途が生じる。
【０００７】
工具なしとは、この場合、特に家具を組み立てる人員にとって、家具の個々の要素を手動で組み立て、さらに手動で解体することができることを意味する。結合は、追加的に磁石と磁石の相手部分とを介して互いに吸引される、隣接する結合要素および面要素の溝構造またはキー構造を介して行われる。この結合は、溝構造内のキー構造、特に多重溝内の多重キーの摩擦を介して、および、磁気的な相互作用を介して、通常の大きさの家具の組立にとって十分に強くなっている。通常は、多重溝は、多重キーがキーを有するのと同数の溝を有し、ただし、たとえば四重溝として形成された多重溝にも、二重キーとして構成された多重キーが作用してもよいことが明らかである。
【０００８】
二重溝とは、特に平行に、家具要素の長手延伸方向に延在する２つの溝と解される。同様に、二重キーは、たとえばウェブの態様の、家具要素の長手方向に延在する２つのキーにより形成されている。溝構造だけではなくキー構造も部分的に中断されてよく、これにより、たとえば別の家具要素の配置が可能である。正確に２つのキーまたは溝を有する代わりに、本考案は、多重溝または多重キーを有する態様、つまり３つまたは４つ以上の、相並んで位置する溝またはキーを有する変化態様をも含む。最も簡単な場合、溝構造は、単一の、場合により中断された溝を有してよく、この場合、キー構造は、相応に単一の、場合により中断されたキーを有してよい。導入方向は、面要素の面状の延伸に対して平行で、特に面要素の端面上で垂直の方向である。
【０００９】
好適には、結合要素の側にも面要素の側にも磁石が配置されている。磁石は、たとえばネオジム磁石であってよい。
【００１０】
特に、磁石は、結合要素よりも小さな横断面幅を有する。その利点によれば、好適には円筒形に形成された磁石により既に吸引力が生じることがなく、面要素および結合要素が、広い範囲にわたって、互いに内外にかつ互いに接して摺動することができる。吸引力は、まず、磁石の付近の周辺で相互作用し、これは、ストリップ状の磁石が存在する背景技術と比べて、家具の組立てを著しく簡単化する。
【００１１】
好適には、結合要素は、少なくとも１つの側に、キー構造、好適には多重キーを有する。少なくとも１つの別の側に、たとえばガラス板を配置するための別の結合手段や、別のキー構造、特に多重キーが設けられてもよい。隣接する家具要素の、対応する多重溝に係合する多重キーが通常は面要素の側に設けられてもよいが、結合要素の側における多重キーの配置が有利であり、この場合、結合要素は、組み立てられた状態で可視部分に関してより狭幅に形成することができる。
【００１２】
面要素の、好適には多重溝を有する端面への良好な導入性のために、二重キーまたは二重キーの両方の個々のキーは、その端部に向かって面取りされている。これと同じことが、場合により存在する多重キーまたはキー構造の個々のキーにも当てはまる。
【００１３】
好適には、結合要素は、角張った、特に直方体状の基本体を有し、この場合、基本体は、長手延伸方向に対して横方向の横断面で、かつ周囲に関して、好適には正方形に形成されている。この場合、基本体とは、たとえば特に多重キーなどのキー構造を有しない結合要素の本体と解される。角を介するだけではなく角を介さない、結合要素と結合されるべき面要素の対称の接合に関して、好適には木、プラスチックまたはアルミニウムから成る基本体が正方形であると有利である。結合要素は、付属の磁石と、磁石の、たとえば接着剤をベースとする被覆とを除いて、同様に木、プラスチックまたはアルミニウムから製造されてよく、場合により追加的に塗工、塗装または別の形で高品質化されてよい。これに基づいて、快適な手触り、わずかな製造コストおよび簡単な処理性ならびに加工性が得られる。択一的に、基本体は、ＭＤＦや別の複合材料、特に木−プラスチック−複合材料から製造されてもよい。面要素は、補足的に、シートもしくは薄い繊維板の態様の、写真プリントを含む上張りまたはステッカーを有してよい。これらの上張りまたはステッカーは、たとえば係合または掛合（たとえば面ファスナ結合）を介して面要素に取り付けてもよい。たとえば、面要素は、単に上張りのための枠を形成して、上張りを設けてもよい。面要素は、結合要素と全く同様に、少なくとも実質的に（磁石を除いて）木、木材複合材料、金属、プラスチック、または１つもしくは複数のこれらの材料から成る複合材料、たとえば木材複合材料またはＷＰＣ（Ｗｏｏｄ−Ｐｌａｓｔｉｃ−Ｃｏｍｐｏｓｉｔｅ；木材プラスチック複合材料）から成ってよい。本考案に係る家具の個々の部分は、素材から加工して製造してよい、または射出成形技術もしくは鋳造技術を介して製造してもよい。特に、竹粉−射出成形技術を介して、精密な仕上げと同時に、手触りと強度との良好な組み合わせが得られる。
【００１４】
別の面要素に対する面要素の接合のために、結合要素は、それぞれ面要素の端面に向いた側に、キー構造、特に多重キーを有し、かつ／または結合要素のそれぞれの側に設けられた磁石が、キー構造に対して対称的に、つまり特に長さ中心軸線で、キー構造のキーが偶数の場合にはキーの間に中央に配置されている。したがって、結合要素は、少なくとも２つの側にキー構造を有する。結合要素に３つまたは４つの面要素が配置されている場合には、これに対応して、３つまたは４つの側に、好適には多重キーの態様のキー構造が設けられている。
【００１５】
たとえば二重キーの２つのキーの間の中間室における、多重キーに関する磁石の対称の配置に基づいて、結合要素の装着は、側に関係なく実行可能である。これは、特に基本要素に関して中央に配置された磁石に当てはまる。
【００１６】
結合要素の長さは、面要素の長さと同様に変更することができる。この場合、外側もしくは外側の端面からの磁石の間隔が、結合相手における、対向して置かれた磁石に対して適合するように寸法設定されていることが重要である。
【００１７】
ベース結合部は、Ｄ＝Ａ−Ｖの長さを有し、この場合、Ｖは、別の結合要素の横断面幅である。結合部の構成に依存して、結合部は、長さＡ−Ｖ、ＡまたはＡ＋Ｖを有してよく、この場合、長さＡ＋Ｖの結合部は、両方の端部で面要素と結合するときに、キーを有する領域に隣接する突出する端部領域を有し、この場合、突出部は、これに応じて、面要素が全ての側で結合要素から成る枠により取り囲まれ得る大きさを有する。
【００１８】
次のより長い結合要素は、長さ機能に応じて、結合要素が隣接する結合要素の端面を覆う前述の端部領域を有するか否かに基づいて、まず、２Ａ−Ｖ、２Ａまたは２Ａ＋Ｖの長さを有する。
【００１９】
最短の結合要素は、同様に、中央に配置された単一の磁石を有する。次のより長い結合要素では、相応に２つの磁石が設けられており、この場合、キー構造、特に多重キーは、中央にまたは１／２Ｖだけずらして中断されており、これにより、少なくとも結合要素のほぼ半部に装着する別の面要素を実現することができる。
【００２０】
この場合、面要素の辺長さは、平面図で見て正方形の、最小のモジュールサイズとして４つの全ての側に溝構造、特に多重溝を有する板（ベース要素）に関して１Ａ−Ｖで得られる。この場合、次のより長い面要素は、２Ａ−Ｖ、３Ａ−Ｖおよび４Ａ−Ｖである（ｎ？Ａ−Ｖ、ここで整数ｎは１、２、３、４、５・・・である）。ベース要素として使用可能な面要素において、狭幅側に存在する磁石は、溝構造、特に多重溝に関して中央であり、対称であり、かつ角から同一距離の間隔を置いて配置されている。この場合、次のより大きな変化態様は、狭幅側に、前述の規則に応じて、ｎ個の磁石を有する。
【００２１】
好適には、結合要素における磁石は、基本体に嵌め込まれており、この場合、磁石は、取り囲む表面と同一平面を成して終端してよい。特に、磁石は、結合要素の側でウェブが密に位置する領域に嵌め込まれている。したがって好適には、磁石の周りに、特に二重キーとして構成された溝構造もしくは多重キーが、磁石に向かって延在する切欠を有し、この場合、特に、切欠を形成する溝表面が、ガイド面として構成されているので、面要素の側に配置された別の磁石が、磁石に近付けられる、または、結合要素もしくは閉鎖要素が、面要素の磁石に対して正確に位置決めされる。これに応じて、（たとえば二重の）キーは中断されていて、必ずしも連続するまたは部分的に高さを低減して連続するウェブとして形成されていない。
【００２２】
補足的に、ガイド面に続いて中空円筒形の進入領域が設けられてよく、その直径は、円筒形に形成された磁石の幅よりもわずかに大きい（＜３ｍｍの差）。
【００２３】
さらに、結合要素が切欠を有し、切欠に電流を導く線路が配置されていると、本考案に係る家具にとってさらなる利点がもたらされる。
【００２４】
本考案に係る家具の機能性は、結合要素の端面のうちの少なくとも１つに、電流を導く線路と接続するための接続手段が設けられていると、さらに改善される。この場合、接続手段は、特に端子またはコネクタであってよい。
【００２５】
好適には、１つまたは複数の家具要素は、好適にはＬＥＤストリップとして構成された照明手段を有する。したがって、展示室を照明することができる。特に、この家具要素は、後述する閉鎖要素であり、この閉鎖要素は、観察者から見て閉鎖要素の後側に位置する空間を投光するので、展示対象の照明は、観察者の側から、ゆえに好適には観察者の観察のために行われる。
【００２６】
前述のように、結合要素は、２つの面要素の、角にわたって設けられた結合手段として、それぞれ互いに隣接する側に位置するキー構造、特に多重キーを有する。角にわたってとは、通常は、９０°角を表すが、ただし、面要素を９０°より大小する角度で結合する、横断面で見て多角形の結合手段を設けてもよい。相応に相並んで配置された、同一平面を成して互いに移行する表面を有する面要素では、これらの両方の面要素を結合するために、結合要素は、それぞれ反対の側に位置する多重キーを有する。
【００２７】
ドアまたはフラップを組み付けるために、結合要素は、ドアまたはフラップ用の取付具を有してよい。トルク吸収を改善するために、取付具を有する結合要素は、追加的に、別の結合要素とピンを介して結合されてよく、そのために、ピンを配置するための相応の切欠が結合要素に設けられてよい。
【００２８】
前述のように、面要素は、特に角張った、好適には正方形の基本形状を有し、この場合、前述の長さ関係が当てはまる。
【００２９】
面要素の厚さは、結合要素の基本体の横断面幅に相当する。これに応じて、個々の結合要素および面要素は、それぞれ別の結合相手に交換可能に適合する。
【００３０】
前述のように、面要素は、好適には溝構造、特に多重溝を、少なくとも１つの、ただし格別には全ての端面側または狭幅側に有する。これらの溝構造、特に多重溝は、特に面要素の角まで延在してよい。
【００３１】
好適には、溝の間に位置する中央のウェブは、高さにおいてウェブと同一平面を成して形成されてよい磁石を有する。このウェブは、形状付与において、たとえば結合要素の二重キーの間に延在する溝に対して補完的な形状を有してよい。
【００３２】
磁石は、特にウェブよりも広幅に形成されており、つまり磁石は、ウェブの残りの部分と比べて、溝により形成された空間内へより強く延在する。結合要素の側における進入領域と組み合わせて、そのような態様は、家具要素に対する提示のより簡単な適合および目的に合った位置決めをもたらす。結合要素は、磁気的に保持された位置では、磁石の幅に依存して結合要素のウェブの間に存在する通路の長手方向に滑動することはない。したがって、結合要素は、全ての３つの空間方向で保持されている。長手方向だけに見て、キー構造では、磁石が、より小さな幅を有すると、好適であってよい。
【００３３】
本考案に係る家具の多機能性は、面要素が少なくとも部分的に透明に構成されていると、さらに改善される。択一的にまたは補足的に、家具要素は、機能要素、特にガラス板、シートが上張りされた別の板、モニター、またはこれらに類する面状に切欠を満たす機能要素を配置するための溝および／または切欠を有してよい。
【００３４】
本考案に係る家具の別の家具要素は、閉鎖要素として構成されており、閉鎖要素は、観察者に向いた側で、溝およびキーを有さずに構成されている。特に、観察者から正面側と定義される前側で、そのような閉鎖要素により、溝またはキー成形部を有して形成された面要素がカバーされる。前述のように、そのような閉鎖要素は、特に照明手段を有してもよい。
【００３５】
好適には、閉鎖要素だけではなく結合要素も、キー構造、特に多重キーを有する。キー構造は、キーの端部に向かって特に面取りされていて、これにより、面要素の角領域における斜め継ぎの形の配置が実現される。したがって、面取り部を有するキーは、斜め継ぎの形で互いに当接するキーに基づく面取り部である。択一的に、面取り部の代わりにキーを短縮してもよい。
【００３６】
結合要素の場合のように、キーは、閉鎖要素の端面また端面の辺まで延びてよく、角張った、とっくに直方体状で、横断面で見て正方形の基本体であってよい。もちろん、閉鎖要素は、突出する角領域を有してもよい。
【００３７】
以下に、主に二重溝および二重キーの態様の変化態様としての溝構造およびキー構造が記述される。ただし、本考案は、結合要素または閉鎖要素の端面または長手方向側に相並んで３つ以上の溝またはキーまたは単一の溝およびキーを有する変化態様を含んでもよい。
【００３８】
本考案の別の好適な態様によれば、家具は、複数の結合要素と、結合要素により取り囲まれた面要素とを有し、この場合、少なくとも１つの結合要素は、キーに接続する領域を有し、その長さＶは、結合要素または閉鎖要素の基本体の横断面幅に相当する。これにより、面要素の周りに、同一長さの縁が形成される。
【００３９】
結合要素または面要素の磁石は、特に、その横断面幅において、結合要素の幅Ｖよりも小さく形成されている。たとえば、磁石は、好適には円筒形に形成されてよい。
【００４０】
好適には、少なくとも１つのローラを有し、床側に配置されるべき家具要素は、別の家具要素を配置するための二重溝を有し、両方の溝の間のウェブに、少なくとも１つの磁石が配置されている。同時に、二重溝は、特に、面状に形成された家具要素の、ローラとは反対の側に配置されている。
【００４１】
ローラを有する複数の家具要素は、二重溝を有する木製ウェブと結合されてよく、この場合、両方の溝の間のウェブに、少なくとも１つの磁石が配置されている。したがって、家具に関して支持能力がある可動のベース要素を形成することもできる。ベース要素に、家具の、実際に提示を目的として設けられる部分を配置して、ローラにより、所定の位置から次の位置へ移動させることができる。
【００４２】
本考案のその他の利点および詳細は、以下の図面に関する記述から明らかである。
【図面の簡単な説明】
【００４３】
【図１】本考案に係る家具の１つの態様を示す概略図である。
【図２】本考案に係る別の態様の分解図である。
【図３】本考案の対象の一部の２つの断面図である。
【図４】本考案の別の対象の家具要素の部分図である。
【図５】ａ）〜ｈ）は、本考案の別の対象の家具要素の断面図である。
【図６】ａ）〜ｌ）は、本考案に係る家具の結合要素の態様を示す概略図である。
【図７】家具要素の斜視図である。
【図８】本考案に係る提示用要素の大きさに関する概要を示す図である。
【考案を実施するための形態】
【００４４】
以下に記述される態様の個々の技術的特徴は、前述の態様や独立請求項および場合によりその他の請求項の特徴と組み合わせた形でも、組み合わせて、本考案の対象が形成されるようにすることができる。有意義である場合には、機能的に同一の作用を有する要素には同一の符号が付してある。
【００４５】
本明細書において、提示用家具として、特に展示棚システムとして使用可能な、本考案に係る家具は、図１によれば、一連の種々の面要素と結合要素と閉鎖要素とを備える。この場合、面要素は、面要素の側に存在する、二重溝の態様の溝構造と、結合要素および閉鎖要素の側に存在する、二重キーの態様のキー構造と、各々の磁石とを介して、結合要素または閉鎖要素と結合されている。
【００４６】
図１の態様では、２階（段）式の家具を形成するために同一の４つの面要素１が使用されている。別の面要素１．１は、面要素１．２とともに、別の背壁を形成している。さらに、家具の両方の階層は、同一に形成された別の面要素２により画定されている。閉鎖要素３は、これがないと観察者から見えてしまう、面要素の二重溝をカバーしている。この場合、閉鎖要素として、１つの側でだけ二重キー（または択一的には二重溝）を有し、別の側では機能要素、特に取付具または二重溝もしくは二重キーを有しないまたは２つの面要素を結合するために用いられない要素が定義されている。結合要素４は、面要素１または２を結合するのに用いられる。
【００４７】
より簡単な構成の図２の態様では、面要素および結合要素が分解図で示されている。図２の態様では、全部で５つの面要素２が、結合要素４を介して互いに結合されている。この場合、後方の結合要素４．１は、端部側で、キーの、面取りされた端部に隣接する領域を有し、その領域の幅は、直方体状の基本体の横断面幅に相当し、これにより、相応に隣接する結合要素または閉鎖要素がカバーされる。
【００４８】
結合要素４は、結合要素４．１と全く同様に、互いに隣接する側に二重キーを有し、結合要素４は、二重キーでもって、面要素の、対応する二重溝に係合する。閉鎖要素３は、カバーされるべき側に向かってだけ二重溝を有し、観察者に向いた側で、つまりここでは方向Ｆに向いて、溝およびキーを有さずに形成されている。結合要素または閉鎖要素の磁石を取り囲む領域５において、全ての二重キーが切欠を有し、切欠は、面要素の端面における正しい位置へ結合要素および閉鎖要素を良好に近付けるために用いられる。結合要素および閉鎖要素の磁石６は、最適に、面要素の磁石７に対して位置決めすることができる。磁石７は、各々の面要素の２つの溝８の間のウェブに配置されている。
【００４９】
たとえばこの場合に家具部分の右側に配置されてよい、結合要素４のキーの面取り部は、３の符号を付した閉鎖要素の、図示されていないキーと、隣接する面要素に接して斜め継ぎ（そぎ継ぎ）の形で互いに当接する。
【００５０】
図３の上側の断面図には、面要素と２つの閉鎖要素３との結合部が図示されている。ここでは、断面は、磁石の高さで延在している。磁石６は、磁石７に密接する。互いに吸引する磁石の極は、互いに向き合う。この場合、磁石７は、キー１０で満たされた２つの溝１１を形成するために用いられる中央のウェブ９よりも広幅に形成されていることが看取される。相応に、キー１０は、磁石７を磁石６に対して位置決めするために用いられるガイド面１２を有する切欠を備える。磁石６に直接に隣接して、ガイド面は、本態様では、磁石６の円筒形の進入領域を形成するために角度付けされている。
【００５１】
この場合、全幅Ｄは、ｎ・Ａ＋Ｖで得られ、ここでｎ・Ａ−Ｖは、面要素２の幅である。閉鎖要素の基本体は、ここでは直方体であり、横断面で見て辺長さＶを有する正方形に形成されている。
【００５２】
磁石７により中断されるウェブ９の幅に対する磁石７の最大幅は、図４においても看取される。磁石は、溝１１により形成される中間室に突入し、これを縮小する。
【００５３】
面要素２の下側の端面に配置されるべき結合部４が全体で３つの側に、個々のキー１０により形成される二重キーを有するのに対して、同一の図面に示された、結合要素４の別の２つの変化態様は、それぞれ２つの側にだけ二重キーを有する。さらにこれらの別の結合要素４は、面取りされたキーに隣接し、相応に単に破線で示された領域を有しない。これらの領域は、図４において破線に沿って面要素２の後方の端面に連結することができる、３つの側で二重キーを有する結合部４では省かれている。
【００５４】
これと同じことが、図面において左側に示された閉鎖要素３に当てはまる。
【００５５】
結合要素または閉鎖要素として構成された、特に個々の提示用家具要素として構成された家具要素は、相応に、種々の横断面形状を有してよい（図５ａ）〜ｈ））。閉鎖要素３は、前述のように、面要素２と結合するための二重溝だけを有する（図５のａ））。
【００５６】
２つの面要素２は、角結合部を形成する結合要素４を介して結合することができ、この場合、結合要素４は、互いに隣接する２つの側で二重溝を有する（図５のｂ））。
【００５７】
結合要素４の、それぞれ反対の側における二重溝は、隣り合う２つの面要素２の、同一平面を成して互いに移行する表面を形成するために用いられる（図５のｃ））。
【００５８】
Ｔ字形の結合部を形成するために構成された結合要素４は、３つの側に、二重溝を有する（図５のｄ））。互いに直角に接する４つの側に二重溝を有する結合要素４は、隣り合う、角を介して接合された面要素２の十字の結合部を形成するように構成されている（図５のｅ））。
【００５９】
閉鎖要素３は、ケーブル用溝１４を有し、ケーブル用溝４に、電流を導く線路１５が配置されている（図５のｆ））。
【００６０】
図５のｇ）によれば、結合要素４は、１つの側に、キー１０が形成された二重キーを有する一方、別の１つの側に、好適にはガラス板１７として構成された機能要素を配置するための溝６が設けられている。
【００６１】
最後に、図５ｈ）による閉鎖要素３は、切欠１８を有し、切欠１８に、好適にはＬＥＤストリップとして構成された照明手段１９が導入されている。
【００６２】
このＬＥＤストリップは、たとえば隣接する図５のｆ）による閉鎖要素３を介して、電流を供給することができる。
【００６３】
モジュール構造と様々な大きさの面要素に対する接合とを可能にする、様々なモジュールサイズの閉鎖要素３の態様は、図６のａ）〜図６のｌ）に示されている。そこに示された閉鎖要素は、特に、溝を有する領域に隣接する領域１３に関して区別される。図６および図８に示された全ての態様において、付属の面要素に各々の結合要素または閉鎖要素を配置する際に、磁石の位置を互いに合わせることが重要である。これに応じて、図６ａ）に示された閉鎖要素３は、破線で示された隣接する２つの領域を有し、図６のｂ）は、領域１３を有しない閉鎖要素（長さＡ−Ｖ）を側面図で示しており、図６のｃ）は、隣接する領域１３を１つだけ有する態様（長さＡ）を示しており、これに対して、図６のｄ）による閉鎖要素の長さは、Ａ＋Ｖで得られる。
【００６４】
次のより長い閉鎖要素は、図６のｅ）による側面図では、２Ａ−Ｖの基本長さを有する（図６のｆ）参照）。この場合、ここでは二重キーとして構成されたキー１０は、中央領域で中断されており、これにより、別の要素の配置が可能である。これに応じて、キーにより形成された切欠は、隣接する結合要素の基本体の横断面幅と少なくとも同じ幅を有する。斜め継ぎの形の配置を可能にするために、切欠は、キーの端部と同様に面取りされている。
【００６５】
図６のｇ）およびｈ）による態様は、同じくここでもキーに隣接する領域１３により区別され、この場合、図６のｇ）による閉鎖ストリップは、２Ａの長さを有し、図６のｈ）による態様は、２Ａ＋Ｖの長さを有する。
【００６６】
閉鎖ストリップ３の代わりに、図６のａ）〜図６のｌ）による態様は、少なくとも２つの側に二重キーを有する結合要素であってもよい。結合要素または閉鎖要素の側における複数の磁石の配置は、平均の間隔Ａ（中心軸線から隣り合う磁石の中心軸線まで測定して）で行われる。
【００６７】
３Ａ−Ｖの基本長さを有する閉鎖要素が、図６のｉ）において側面図で示されている。本考案に係る家具のモジュール構造に応じて、ここでは、閉鎖要素または結合要素の接合に用いられるウェブ１０の２つの中断領域が存在する。
【００６８】
次の、より長い閉鎖要素の基本要素は、３Ａ−Ｖの長さを有する（図６のｊ））。相応に、図６のｋ）および図６のｌ）による１つまたは２つの領域１３の分だけ延長された態様は、３Ａまたは３Ａ＋Ｖの長さを有する。
【００６９】
面要素の基本長さとして、面要素２は、（１）Ａ−Ｖの辺長さを有する（図７）。
【００７０】
この大きさを起点として、これに応じて、図８に、各々の辺長さに関するｎ・Ａ−Ｖの大きさを有する面要素２のさらに別の大きさが示されており、この場合、ｎは、整数（｛１、２、３・・・｝）の値から成る。
【００７１】
図５〜図７の結合要素、閉鎖要素および面要素により、本考案に係る、工具なしの組立ておよび解体が可能な多くの家具を提供することができる。これらの家具は、たとえば、見本市、店舗構造物、展示会、店舗設備、イベント、視覚的な市場活動、小売技術および／または個人の住宅用途において利用することができる。
【図１】
0003224783.tif 000003
【図２】
0003224783.tif 000004
【図３】
0003224783.tif 000005
【図４】
0003224783.tif 000006
【図５】
0003224783.tif 000007
【図６】
0003224783.tif 000008
【図７】
0003224783.tif 000009
【図８】
0003224783.tif 000010
【手続補正書】
【提出日】令和1年11月12日(2019.11.12)
【手続補正１】
【補正対象書類名】実用新案登録請求の範囲
【補正対象項目名】全文
【補正方法】変更
【補正の内容】
【実用新案登録請求の範囲】
【請求項１】
家具、特に提示用家具、好適には商品提示用家具の態様の家具、さらに有利には棚または戸棚の態様の、モジュール式に組立て可能な家具であって、
面要素（１，２）および該面要素（１，２）の狭幅側に装着可能な結合要素（４）の態様の、好適には提示用家具要素として構成された複数の家具要素を備え、
狭幅側への工具なしの着脱可能な結合が、溝構造に導入されるべきキー構造を介して、好適には、溝に導入されるべきキーを介して、または少なくとも二重溝として構成された多重溝に導入されるべき少なくとも二重キーとして構成された多重キーを介して行われ、
前記家具要素（１，２，４）は、キー溝結合部を介して、前記面要素（１，２）の面状の延伸に対して横向きに、および追加的に導入方向とは逆向きに、家具要素の側に配置された少なくとも１つの磁石（６）と、隣接する家具要素の側に配置された、磁気吸引可能な別の部分との相互作用を介して位置固定されていて、相並んでまたは直接に角を介して配置された２つの面要素（２，１）が、単一の結合要素（４）を介して結合されている、
ことを特徴とする、家具。
【請求項２】
磁気吸引可能な前記別の部分は、磁石（７）であり、前記結合要素（４）だけではなく前記面要素（１，２）もそれぞれ少なくとも１つの磁石（６，７）を有し、該磁石（６，７）により、両方の家具要素が互いに吸引される、請求項１記載の家具。
【請求項３】
前記結合要素（４）は、少なくとも１つの側に、キー構造を有する、請求項１または２記載の家具。
【請求項４】
前記キー構造は、該キー構造の端部に向かって面取りされている、請求項３記載の家具。
【請求項５】
前記結合要素（４）は、角張った、特に直方体状の基本体を有し、該基本体は、横断面で見て好適には正方形に形成されている、請求項３または４記載の家具。
【請求項６】
前記結合要素（４）は、少なくとも２つの側で、キー構造を有し、かつ／または前記磁石（６）は、前記結合要素（４）の１つの側で、キー構造に対して対称に配置されている、請求項３から５までのいずれか１項記載の家具。
【請求項７】
前記磁石（６）は、前記基本体に嵌め込まれている、請求項５記載の家具。
【請求項８】
前記磁石の周りに、前記キー構造は、前記磁石（６）に向かって延在する少なくとも１つの切欠を有し、特に該切欠を形成する溝表面が、ガイド面（１２）として構成されている、請求項７記載の家具。
【請求項９】
前記結合要素（４）は、ケーブル用溝（１４）を有し、該ケーブル用溝（１４）に、電流を導く線路（１５）が配置されている、請求項３から８までのいずれか１項記載の家具。
【請求項１０】
前記結合要素（４）の端面のうちの少なくとも１つに、電流を導く線路（１５）と接続するための接続手段が設けられている、請求項９記載の家具。
【請求項１１】
前記家具要素は、好適にはＬＥＤストリップとして構成された照明手段（１９）を有する、請求項１から１０までのいずれか１項記載の家具。
【請求項１２】
前記結合要素（４）は、ドア用の取付具を有する、請求項３から１１までのいずれか１項記載の家具。
【請求項１３】
前記面要素（１，２）は、角張った、特に直方体状の基本形状を有する、請求項１から１２までのいずれか１項記載の家具。
【請求項１４】
前記面要素（１，２）は、前記溝構造を、少なくとも１つ、好適には全ての狭幅側に有する、請求項１から１３までのいずれか１項記載の家具。
【請求項１５】
溝（１１）の間に位置する中央のウェブ（９）は、磁石（７）を有する、請求項１４記載の家具。
【請求項１６】
前記磁石（７）は、前記ウェブ（９）よりも広幅である、請求項１５記載の家具。
【請求項１７】
前記面要素（１，２）は、少なくとも部分的に透明に構成されている、請求項１から１６までのいずれか１項記載の家具。
【請求項１８】
閉鎖要素（３）が設けられており、該閉鎖要素（３）は、観察者に向いた側で、溝およびキーを有さずに構成されている、請求項１から１７までのいずれか１項記載の家具。
【請求項１９】
前記閉鎖要素（３）は、キーの端部に向かって好適には面取りされたキー構造を有する、請求項１８記載の家具。
【請求項２０】
前記キー構造に対して対称に配置された少なくとも１つの磁石を有する、請求項１８または１９記載の家具。
【請求項２１】
前記結合要素（４）、前記閉鎖要素（３）または前記面要素（１，２）は、機能要素、特にガラス板を配置するための溝（１６）および／または切欠を有する、請求項１８から２０までのいずれか１項記載の家具。
【請求項２２】
前記結合要素（４）または前記閉鎖要素（３）が、キー構造に接続する領域（１３）を有し、該領域（１３）の長さＶは、前記結合要素（４）または前記閉鎖要素（３）の基本体の横断面幅に相当する、請求項１８から２１までのいずれか１項記載の家具。
【請求項２３】
前記磁石（６，７）は、前記結合要素（４）よりも小さな横断面幅を有し、好適には円筒形に形成されている、請求項２を含む請求項３から２２までのいずれか１項記載の家具。
【請求項２４】
少なくとも１つのローラを有する、床側に配置されるべき家具要素は、別の家具要素を配置するための溝構造を有し、両方の溝の間のウェブに、少なくとも１つの磁石が配置されている、請求項１から２３までのいずれか１項記載の家具。
【請求項２５】
ローラを有する複数の家具要素が、溝構造を有する木製ウェブを介して結合されており、好適には両方の前記溝の間の好適には前記ウェブに、少なくとも１つの磁石が配置されている、請求項２４記載の家具。